(57)【要約】【課題】  ワイシャツやスーツの襟に取付けることが出来る装飾品であって、該襟をキズ付けることなく簡単に取付け・取外しが出来る装飾品の提供。【解決手段】  装飾品１は襟８を挟み込む取付け部２を有し、該取付け部２は装飾品１が取着される表部材３と裏部材４で構成し、裏部材４はバネ材で構成し、表部材３と裏部材４にて襟８を挟んだ際にバネ力を付勢して安定した取付けが出来る。【選択図】    図１
2009213809.tif 000002
【特許請求の範囲】
【請求項１】
ワイシャツやスーツの襟に取付けることが出来る装飾品において、該装飾品は上記襟を挟み込む取付け部を有し、該取付け部は装飾品が取着される表部材と裏部材で構成し、裏部材は少なくとも一部にバネ材を備え、表部材と裏部材にて襟を挟んだ際にバネ力を付勢することが出来ることを特徴とする襟に取付ける装飾品。
【請求項２】
上記装飾品を表部材と一体的に形成した請求項１記載の襟に取付ける装飾品。
【請求項３】
上記表部材の形状を襟先端部に合わせた概略三角形とし、両側には襟の両縁が接するリブを下側へ延ばした請求項１、又は請求項３記載の襟に取付ける装飾品。
【請求項４】
上記取付け部の裏部材は表部材の一端に設けた継手を介してバネ性の裏部材を連結し、裏部材先端には係止片を形成し、該係止片が表部材先端の係止部に係止可能とした請求項１、請求項２、又は請求項３記載の襟に取付ける装飾品。
【請求項５】
上記取付け部の表面材両側にはリブを設け、バネ性を有す裏部材は当り面を形成した挟持部の両側に軸を延ばし、該軸を上記リブに設けた軸穴に嵌めて軸支すると共に軸穴を貫通した軸先端には回転ツマミを取付けた請求項１、請求項２、又は請求項３記載の襟に取付ける装飾品。
【発明の詳細な説明】
【技術分野】
【０００１】
本発明はワイシャツの襟やスーツの襟に簡単に取付けることが出来る装飾品に関するものである。
【背景技術】
【０００２】
一口に装飾品といってもその種類は色々あり、身に付ける最も代表的なものとしては指輪、シヤリング、ネックレス、ペンダントなどである。そして、指輪一つをとってもその形態は多種多様化しているが、該指輪であれば指に嵌めることで手軽に身に付けることが出来、しかも何時でも指から取外すことが可能である。イヤリングやネックレスの場合も同じく、その着脱は到って簡単である。
【０００３】
ところで、本発明はスーツやワイシャツの襟に取付けることが出来る装飾品を対象としているが、従来ではこのような考えは存在していない。スーツの襟であればバッジや記章を取付けることはあるが装飾品とは異なる。そして、バッジや記章はピン止めしているか、又は襟に貫通穴を設けてネジ止めしている。しかし、ネジ止めするには襟に貫通穴が必要となり、ピン止めする該襟表面が損傷してキズ付く。
ただし、襟そのものを装飾化している技術は従来においても存在している。例えば、実用新案登録第３０８４６８９号に係る「名入り立ち襟式ワイシャツ」は、ワイシャツを「立ち襟」に改良し、この立ち襟型ワイシャツを好んで着用されるよう、予めイニシャルやブランドロゴなどを施した立ち襟である。
すなわち、立ち襟の左右先端や後部等にネームやイニシャル、又は製造社の社名やマークなどをプリント又は刺繍を施した立ち襟とワィシャツとを組み合わせ取り付けた形態である。
【０００４】
特開平１０−１３０９０２号に係る「スリット付ワイシャツの襟」は、ワイシャツの剣先周辺のバリエーションの一種となる機能を有し、ビジネス、フォーマルやカジュアルにも対応出来るオールラウンドでファッショナブルなスリット付ワイシャツの襟である。そこで、折返し襟の両横側の下辺４適所から上辺に向け、襟幅以内の直線又は曲線のスリットを両側に設け、襟の両剣先３部分を着用者の趣向で自由に変化させ、個性化と立体感を備え持つスリット付襟のワイシャツである。
【０００５】
実開平６−６５４０４号に係る「ワイシャツ用伊達襟」は、取り付けや取り外しが簡単にでき、またワイシャツを傷めることのないワイシャツ用伊達襟である。すなわち、ワイシャツの襟の後ろの部分に引っ掛部を引っ掛け、ワイシャツの襟の上を外襟部が覆うようにしている。ワイシャツの襟先は袋に収め、そしてワイシャツの襟の内側と首との間に、内襟部が存在し、内襟部の中には芯を入れている。
【０００６】
このように、襟そのものを工夫して装飾効果を狙ったものは幾つか知られているが、装飾品を襟に取付けるといった考えは存在していない。
【特許文献１】実用新案登録第３０８４６８９号に係る「名入り立ち襟式ワイシャツ」
【特許文献２】特開平１０−１３０９０２号に係る「スリット付ワイシャツの襟」
【特許文献３】実開平６−６５４０４号に係る「ワイシャツ用伊達襟」
【発明の開示】
【発明が解決しようとする課題】
【０００７】
このように、刺繍などを施して襟を装飾化したものは色々知られているが、襟を交換しない限り装飾形態は同じである。又、実開平６−６５４０４号に係る「ワイシャツ用伊達襟」のように、襟の取付け・取外しが簡単に出来るようにしたものも知られているが、襟を刺繍などで如何様に装飾してもその効果に限界がある。本発明が解決しようとする課題はこの問題点であり、襟に穴を貫通することなく、又表面をキズ付けることなく着脱自在に取付けることが出来る装飾品を提供する。
【課題を解決するための手段】
【０００８】
本発明に係る装飾品は襟に簡単に取付け・取外しすることが出来る構造とし、この場合、襟には貫通穴を設けたりキズを付けることがないようにしている。そこで、該装飾品には取付け部を有し、この取付け部は襟を挟み込むことが出来る構造と成っている。すなわち、取付け部は表部材と裏部材から成り、上記装飾品は表部材に取着されている。ただし、装飾品を独立した部品として取着するのではなく、表部材と一体的に形成することも出来る。
【０００９】
ここで、装飾品の種類及び形態は特に限定しないが、取付け部の裏部材にはバネが組み込まれている。裏部材全体をバネ材で構成する場合、又は少なくとも一部がバネ材で構成することもあるが、バネ性を有す裏部材としている。バネ材を組み込むことで、表部材とで襟を挟持する際にバネ力が付勢されることで弛みが無く、装飾品を安定して取付けることが出来、しかも襟をキズ付けることがない。
【発明の効果】
【００１０】
本発明に係る装飾品はワイシャツやスーツの襟に取付けることが出来、従来の指輪、イヤリング、ネックレスなどとは異なる装飾効果が得られる。そして、この装飾品は表部材と裏部材とで襟を挟み込むことで取付けられ、バッジを取付ける場合に設けている貫通穴は必要でない。従って、装飾品の形態が如何様であっても簡単に取付けることが出来、不要な場合には取外し可能である。そして、裏部材にはバネが組み込まれていることで、襟を挟んだ場合にバネ力が付勢されて該襟から外れ落ちることはなく、安定して取付けられる。
【実施例】
【００１１】
図１は本発明に係る装飾品を表している実施例である。同図の１は装飾品、２は取付け部を夫々表し、該取付け部２は表部材３と裏部材４から成っている。裏部材４は表部材３の基端に設けた継手５を介して連結され、その為に該裏部材４は開閉することが出来る。そして、裏部材４の先端には係止片６を有し、該係止片６は表部材３の先端に設けている係止部７に係止することが出来る。
【００１２】
ここで、上記取付け部２の表部材３には装飾品１が取付けることが出来るように、剛性の高い部材が使用されるが、裏部材４はバネ材にて構成している。従って、表部材３と裏部材４とで襟を挟む場合には、該裏部材４は撓み変形することが出来、撓み変形に基づくバネ力が襟に付勢される。図２は装飾品１を襟８に取付けた場合を示しているが、該襟８は表部材３と裏部材４とで挟み込まれている。
【００１３】
装飾品１を襟８に取付ける場合には、裏部材４を開いて表部材３との間に挿入して挟み、裏部材先端に設けている係止片６を表部材先端の係止部７に係止することで簡単に取付けることが出来る。裏部材４は板バネにて構成している為に、該板バネは撓み変形して襟８にバネ力を付勢して挟み込むことが出来る。従って、弛みは無く、安定した取付けが可能である。
【００１４】
ここで、上記装飾品１としては色々なものが対象となる。例えば、ダイヤモンドやルビーなどの宝石を用いて構成する場合、木製の装飾品１、ガラス製の装飾品１、さらには樹脂製の装飾品１など、その種類及び形態は無数にある。そして、該装飾品１は表部材３に固定され、該表部材３には裏部材４が取付けられている。
【００１５】
ところで、本発明は表部材３と裏部材４とで襟８を挟み込んで装飾品１を該襟８に取付けるものであるが、取付け部２の具体的な構造は限定しないことにする。前記図１に示す実施例の場合には、裏部材４が継手５を介して開閉可能とした構造で、裏部材４の先端に設けた係止片６を表部材３の係止部７に係止することで襟８にバネ力が付勢されて挟まれるが、本発明ではこの取付け構造に限定するものではない。
【００１６】
図３本発明に係る他の実施例を示している。この実施例の場合も取付け部２は
表部材９と裏部材１０から成り、表部材９に装飾品１が取着され、表部材９の裏側には裏部材１０を備えている。ところで、この裏部材１０は回転することで襟８を挟み込むことが出来る構造としている。すなわち、裏部材１０は表部材９の両端に設けたリブ１１ａ，１１ｂに軸支され、ツマミ１２によって回転することが出来る。裏部材１０は板バネを成形したもので、中央には挟持部１３を有し、該挟持部１３の両側には軸１４ａ，１４ｂを延ばしている。この軸１４ａ，１４ｂがリブ１１ａ，１１ｂに貫通した軸穴に嵌って回転可能に軸支されている。
【００１７】
ところで、上記挟持部１３は平坦な当り面１５を形成し、襟８の裏面に当接して表部材９とで挟み込むことが出来る。そして、挟持部１３はバネ材から構成されていることで撓み変形し、バネ力を付勢して表部材９とで挟み込む。同図は挟持部１３が下側に位置している場合であり、表部材９との間には隙間１６が設けられている。そこで、この隙間１６に襟８を挿入し、ツマミ１２を回転するならば挟持部１３が上側へ回転して表部材９とで襟８が挟まれる。
【００１８】
挟持部１３が上側に回転して襟８に当り面１５が接して挟み込んだ状態では、裏部材１０が独りでに逆転して元の状態に戻ることはない。このように、表部材と裏部材とで構成する取付け部２の構造は色々あるが、あくまでも簡単に取付け・取外し操作が可能なものでなくてはならない。そして、装飾品１を襟８に止着する為の手段である為に、装飾品１の装飾効果を阻害するような大きなものでも不適当である。
【００１９】
図４(ａ)、(ｂ)は表部材２１に装飾品を一体化して形成した場合の具体例である。これらは共に概略三角形を成し、襟の先端に位置決めして取付けることが出来る。すなわち、両側辺１７，１７には下側へ延びるリブ１９，１９を形成し、該リブ１９，１９に襟８の縁１８，１８が当接して位置決めされる。そして、裏部材は両リブ１９，１９に跨って取付けられ、表部材２１とで襟８を挟み込んで取付けることが出来る。
【００２０】
同図に示すように装飾品を一体化した表面材２１は、単なる装飾用として機能するだけでなく、会社のロゴマークを表示するようにデザイン化することも出来る。又、一部に宝石２０を取付けた形態として装飾性を強調したデザインとする場合もある。
【図面の簡単な説明】
【００２１】
【図１】本発明に係る装飾品を示す実施例。
【図２】装飾品を襟に取付けた場合。
【図３】本発明に係る装飾品を示す他の実施例。
【図４】装飾品と表部材を一体化した具体例。
【符号の説明】
【００２２】
１  装飾品
２  取付け部
３  表部材
４  裏部材
５  継手
６  係止片
７  係止部
８  襟
９  表部材
10  裏部材
11  リブ
12  ツマミ
13  挟持部
14  軸
15  当り面
16  隙間
17  側辺
18  縁
19  リブ
20  宝石
21  表部材
【図１】
2009213809.tif 000003
【図２】
2009213809.tif 000004
【図３】
2009213809.tif 000005
【図４】
2009213809.tif 000006